(57)【要約】  基地局（４０）は、第１のネットワークと第１の通信方式に対応する第１の無線区間とを接続させる制御部（４３）と、第２のネットワークと第２の通信方式に対応する第２の無線区間とを接続させる制御部（４４）とを有する。制御部（４４）は、所定の条件を満たした場合に、第２の無線区間を介して端末から受信した信号を、制御部（４３）を介して第１のネットワークへ転送する。
2014188568.tif 000002
【特許請求の範囲】
【請求項１】
第１のネットワークと第１の通信方式に対応する第１の無線区間とを接続させる第１の制御部と、
第２のネットワークと第２の通信方式に対応する第２の無線区間とを接続させる第２の制御部と、
を有し、
前記第２の制御部は、所定の条件を満たした場合に、前記第２の無線区間を介して無線端末装置から受信した信号を前記第１の制御部を介して前記第１のネットワークへ転送する、
ことを特徴とする基地局装置。
【請求項２】
前記第１の制御部及び前記第２の制御部は、前記転送を実行する第１のモードと、前記第１の制御部が前記無線端末装置から前記第１の無線区間を介して信号を受信し前記第１の無線区間を介して受信した信号を前記第１のネットワークへ送信する第２のモードとを切り替える、
ことを特徴とする請求項１に記載の基地局装置。
【請求項３】
第１のネットワークに対応する制御信号を生成する第１の制御部と、
前記第１の制御部で生成された制御信号に対して、第２のネットワークに対応する第２の通信方式で用いられるヘッダを付加する第２の制御部と、
前記ヘッダが付加された制御信号を前記第２の通信方式で基地局装置へ送信する無線部と、
を具備することを特徴とする無線端末装置。
【請求項４】
基地局を介して第１のネットワークと第１の通信方式に対応する第１の無線区間とが接続された第１の通信ルートと、前記基地局を介して第２のネットワークと第２の通信方式に対応する第２の無線区間とが接続された第２の通信ルートと、前記基地局を介して前記第１のネットワークと前記第２の無線区間とが接続された第３の通信ルートとを含む通信ルート群の中から、使用対象の通信ルートを選択する選択部と、
前記選択部で選択された通信ルートに関する情報を前記基地局へ通知する通知部と、
を具備することを特徴とするネットワーク装置。
【請求項５】
基地局における通信方法であって、
前記基地局は、
第１のネットワークと第１の通信方式に対応する第１の無線区間とを接続させる第１の制御部と、
第２のネットワークと第２の通信方式に対応する第２の無線区間とを接続させる第２の制御部と、
を有し、
前記第２の制御部が、所定の条件を満たした場合に、前記第２の無線区間を介して無線端末装置から受信した信号を前記第１の制御部を介して前記第１のネットワークへ転送する、
ことを特徴とする通信方法。
【発明の詳細な説明】
【技術分野】
【０００１】
本発明は、基地局装置、無線端末装置、ネットワーク装置、及び通信方法に関する。
【背景技術】
【０００２】
近年、通信システムにおいて、通信方式の異なる複数の無線アクセスネットワークが導入されている。複数の無線アクセスネットワークとしては、例えば、３ＧＰＰ（Third  Generation  Partnership  Project）で仕様が規定されているＷ−ＣＤＭＡ（Wideband  Code  Division  Multiple  Access）方式及び３ＧＰＰ  ＬＴＥ（Third  Generation  Partnership  Project  Long  Term  Evolution）方式に対応するネットワーク（以下では、「３ＧＰＰネットワーク」と呼ぶことがある）と、無線ＬＡＮ（Local  Area  Network）方式に対応するネットワーク（つまり、無線ＬＡＮ）とを挙げることができる。なお、以下では、Ｗ−ＣＤＭＡ方式及び３ＧＰＰ  ＬＴＥ方式を総称して、「３ＧＰＰ方式」と呼ぶことがある。【０００３】
また、無線端末装置（以下では、単に「端末」と呼ぶことがある）の普及によって、特に、３ＧＰＰ方式に対応するトラヒックが爆発的に増えている。そのため、オペレータは、通信システムにおけるトラヒックの一部を無線ＬＡＮ方式に待避させている。【０００４】
具体的には、図１に示す通信システムにおいて、通信ルートＲ１のトラヒックが爆発的に増えている。そこで、オペレータは、通信ルートＲ２及び通信ルートＲ３にトラヒックを待避させている。また、オペレータは、３ＧＰＰコアネットワーク（Ｃｏｒｅ）のトラヒックを抑えるために、通信ルートＲ４を用意している。なお、図１において、通信システムは、ネットワークとして、３ＧＰＰ無線アクセスネットワーク（ＲＡＮ）と、ブロードバンドネットワーク（ＢＢＮＷ）と、３ＧＰＰコアネットワーク（Ｃｏｒｅ）と、オペレータのサービスネットワークと、インターネットと、無線ＬＡＮアクセスポイントネットワーク（ＷＬＡＮ  ＡＰ−ＮＷ）と、ＷＬＡＮコアネットワーク（Ｃｏｒｅ）とを有する。また、図１において、通信システムは、ＵＥ（User  Equipment）と、ｅＮＢ（evolved  Node  B）と、ＨｅＮＢ（Home  evolved  Node  B）と、ＳＧＷ（Serving  Gateway）と、ＭＭＥ（Mobility  Management  Entity）と、ＨＳＳ（Home  Subscriber  Server）と、ＰＧＷ（PDN  Gateway）とを有する。また、通信システムは、ＷＡＰ（Wireless  Access  Point）と、ＡＲ（Augmented  Reality）と、ＡＡＡ（Authentication  Authorization  Accounting）と、ＤＨＣＰ（Dynamic  Host  Configuration  Protocol）と、ＧＷ（Gateway）とを有する。図１は、従来の通信システムの構成例を示す図である。ここで、ＵＥ（User  Equipment）は、端末に対応する。また、ｅＮＢ（evolved  Node  B）と、ＨｅＮＢ（Home  evolved  Node  B）とは、基地局装置に対応する。
【先行技術文献】
【特許文献】
【０００５】
【特許文献１】特開２００６−１９７５３６号公報
【特許文献２】特開２００８−２５８８０９号公報
【特許文献３】国際公開第２０１０／１０９８６２号
【発明の概要】
【発明が解決しようとする課題】
【０００６】
しかしながら、従来の通信システムでは、トラヒック制御の自由度が低い問題がある。例えば、端末が無線ＬＡＮ方式を選択すると、トラヒックを３ＧＰＰネットワークに取り込むことができず、オペレータにとって不都合がある。すなわち、端末が無線ＬＡＮ経由でオペレータのサービスネットワークにアクセスし、当該サービスネットワークによるサービスの提供を受けたとしても、オペレータがその端末のユーザに対して課金できない可能性がある。また、現状では、３ＧＰＰ方式と無線ＬＡＮ方式との間の互換性がないので、両方式間の切り替えを行うと、端末は、継続性を維持したままサービスを受けることができない可能性がある。【０００７】
開示の技術は、上記に鑑みてなされたものであって、複数のネットワークにおける柔軟なトラヒック制御を実現する、基地局装置、無線端末装置、ネットワーク装置、及び通信方法を提供することを目的とする。
【課題を解決するための手段】
【０００８】
開示の態様では、基地局装置が、第１のネットワークと第１の通信方式に対応する第１の無線区間とを接続させる第１の制御部と、第２のネットワークと第２の通信方式に対応する第２の無線区間とを接続させる第２の制御部と、を有する。前記第２の制御部は、所定の条件を満たした場合に、前記第２の無線区間を介して無線端末装置から受信した信号を前記第１の制御部を介して前記第１のネットワークへ転送する。
【発明の効果】
【０００９】
開示の態様によれば、複数のネットワークにおける柔軟なトラヒック制御を実現できる。
【図面の簡単な説明】
【００１０】
【図１】図１は、従来の通信システムの構成例を示す図である。
【図２】図２は、実施例１の通信システムの主要構成の一例を示す図である。
【図３】図３は、実施例１の基地局の主要構成の一例を示すブロック図である。
【図４】図４は、実施例１の端末の主要構成の一例を示すブロック図である。
【図５】図５は、実施例１のネットワーク装置の主要構成の一例を示すブロック図である。
【図６】図６は、実施例２の基地局の一例を示すブロック図である。
【図７】図７は、実施例２の基地局における制御部の一例を示すブロック図である。
【図８】図８は、実施例２の端末の一例を示すブロック図である。
【図９】図９は、実施例２の端末におけるベースバンド処理制御部の一例を示すブロック図である。
【図１０】図１０は、実施例２のネットワーク装置の一例を示すブロック図である。
【図１１】図１１は、実施例２の通信システムの一例及び第３通信ルートを示す図である。
【図１２】図１２は、第３通信ルートの構築手順を示すシーケンス図である。
【図１３】図１３は、第３通信ルートの構築手順を示すシーケンス図である。
【図１４】図１４は、ユーザ情報転送プレーン（U-plane）に対応するプロトコルスタックを示す図である。
【図１５】図１５は、呼制御信号プレーン（C-plane）に対応するプロトコルスタックを示す図である。
【図１６】図１６は、実施例２の通信システムの一例並びに第１通信ルート及び第３通信ルートを示す図である。
【図１７】図１７は、装置内ハンドオーバ手順（バリエーション１）の説明に供する図である。
【図１８】図１８は、装置内ハンドオーバ手順（バリエーション１）の説明に供する図である。
【図１９】図１９は、実施例２の通信システムの一例並びに第５通信ルート及び第６通信ルートを示す図である。
【図２０】図２０は、実施例２の通信システムの一例並びに第２通信ルート及び第４通信ルートを示す図である。
【図２１】図２１は、装置内ハンドオーバ手順（バリエーション３）の説明に供する図である。
【図２２】図２２は、装置内ハンドオーバ手順（バリエーション３）の説明に供する図である。
【図２３】図２３は、端末のハードウェア構成例を示す図である。
【図２４】図２４は、基地局のハードウェア構成例を示す図である。
【図２５】図２５は、ネットワーク装置のハードウェア構成例を示す図である。
【発明を実施するための形態】
【００１１】
以下に、本願の開示する基地局装置、無線端末装置、ネットワーク装置、及び通信方法の実施形態を図面に基づいて詳細に説明する。なお、この実施形態により本願の開示する基地局装置、無線端末装置、ネットワーク装置、及び通信方法が限定されるものではない。また、実施形態において同一の機能を有する構成には同一の符号を付し、重複する説明は省略される。また、実施形態において同等の処理ステップには同一の符号を付し、重複する説明を省略する。
【００１２】
［実施例１］
［通信システムの概要］
図２は、実施例１の通信システムの主要構成の一例を示す図である。図２において、通信システム１は、端末１０と、基地局装置（以下では、単に「基地局」と呼ぶことがある）４０と、ネットワーク装置７０とを有する。また、通信システム１は、第１のネットワークと、第２のネットワークと、オペレータのサービスネットワークと、インターネットとを有する。
【００１３】
第１のネットワークは、第１の通信方式に対応する。また、第２のネットワークは、第２の通信方式に対応する。サービスネットワークは、第１のネットワーク及びインターネットと接続されている。インターネットは、サービスネットワークと第２のネットワークと接続されている。
【００１４】
端末１０は、第１の通信方式及び第２の通信方式を用いて通信可能に構成されている。すなわち、端末１０は、第１の通信方式に対応する第１の無線区間を用いて基地局４０と通信可能に構成されている。また、端末１０は、第２の通信方式に対応する第２の無線区間を用いて基地局４０と通信可能に構成されている。
【００１５】
基地局４０は、通常、第１の無線区間と第１のネットワークとを接続する。この接続状態によって形成される通信ルートを、「第１通信ルート」と呼ぶ。また、基地局４０は、通常、第２の無線区間と第２のネットワークとを接続する。この接続状態によって形成される通信ルートを「第２通信ルート」と呼ぶ。
【００１６】
ただし、所定の条件を満たす場合には、基地局４０は、第２の無線区間と第１のネットワークとを接続する。この接続状態によって形成される通信ルートを「第３通信ルート」と呼ぶ。又は、所定の条件を満たす場合には、基地局４０は、第１の無線区間と第２のネットワークとを接続する。この接続状態によって形成される通信ルートを「第４通信ルート」と呼ぶ。これにより、第１のネットワーク及び第２のネットワークの柔軟なトラヒック制御を実現することができる。
【００１７】
また、基地局４０は、一度構築された通信ルートにおいて、基地局４０とネットワーク（第１のネットワーク及び第２のネットワーク）との接続状態を変更せずに、無線区間のみを切り替える処理（換言すれば、装置内ハンドオーバ）を実行する。これにより、第１のネットワーク及び第２のネットワークのさらに柔軟なトラヒック制御を実現することができる。この装置内ハンドオーバは、端末１０にとっては方式間のハンドオーバに相当する。
【００１８】
また、端末１０は、基地局４０による第２の無線区間と第１のネットワークとの接続を確立するために、第１の通信方式に対応する制御信号に対して、第２の通信方式で用いられるヘッダを付加し、当該ヘッダを付加した制御信号を基地局４０へ送信する。この制御信号には、例えば、コネクションを確立するためのメッセージが含まれる。このコネクションを確立するためのメッセージは、ネットワーク装置７０まで伝送される。
【００１９】
また、ネットワーク装置７０は、上記した第１通信ルートから第４通信ルートを含む通信ルート群の中から、使用対象の通信ルートを選択し、選択した通信ルートに関する情報を基地局４０へ通知する。
【００２０】
［基地局の構成例］
図３は、実施例１の基地局の主要構成の一例を示すブロック図である。図３において、基地局４０は、無線部４１，４２と、制御部４３，４４と、ネットワークインタフェース（ＩＦ）４５，４６とを有する。
【００２１】
無線部４１は、第１のネットワークに対応する第１の通信方式で、端末１０と無線通信する。
【００２２】
無線部４２は、第２のネットワークに対応する第２の通信方式で、端末１０と無線通信する。
【００２３】
ネットワークＩＦ４５は、第１のネットワークとのインタフェースであり、ネットワークＩＦ４６は、第２のネットワークとのインタフェースである。
【００２４】
制御部４３は、ネットワークＩＦ４５を介して第１のネットワークとの間で信号を送受信可能に構成されている。また、制御部４３は、無線部４１を介して第１の無線区間を用いて端末１０との間で信号を送受信可能に構成されている。
【００２５】
そして、制御部４３は、通常、第１のネットワークと、第１の通信方式に対応する第１の無線区間とを接続させる。ただし、所定の条件を満たした場合、制御部４３は、無線部４１を介して端末１０から受信した信号を、制御部４４を介して第２のネットワークの転送する転送処理を実行する。また、所定の条件を満たした場合、制御部４３は、ネットワークＩＦ４５を介して第１のネットワークから受信した信号を、制御部４４を介して第２の無線区間を用いて端末１０へ転送する転送処理を実行する。
【００２６】
制御部４４は、ネットワークＩＦ４６を介して第２のネットワークとの間で信号を送受信可能に構成されている。また、制御部４４は、無線部４２を介して第２の無線区間を用いて端末１０との間で信号を送受信可能に構成されている。
【００２７】
そして、制御部４４は、通常、第２のネットワークと、第２の通信方式に対応する第２の無線区間とを接続させる。ただし、所定の条件を満たした場合、制御部４４は、無線部４２を介して端末１０から受信した信号を、制御部４３を介して第１のネットワークの転送する転送処理を実行する。また、所定の条件を満たした場合、制御部４４は、ネットワークＩＦ４６を介して第２のネットワークから受信した信号を、制御部４３を介して第１の無線区間を用いて端末１０へ転送する転送処理を実行する。
【００２８】
［端末の構成例］
図４は、実施例１の端末の主要構成の一例を示すブロック図である。図４において、端末１０は、無線部１１，１２と、制御部１３，１４とを有する。
【００２９】
無線部１１は、第１のネットワークに対応する第１の通信方式で、基地局４０との間で無線通信する。つまり、無線部１１は、第１の無線区間を用いて基地局４０と通信を行う。
【００３０】
無線部１２は、第２のネットワークに対応する第２の通信方式で、基地局４０との間で無線通信する。つまり、無線部１２は、第２の無線区間を用いて基地局４０と通信を行う。
【００３１】
制御部１３は、無線部１１を介して基地局４０との間で信号を送受信可能に構成されている。また、制御部１３は、上記の第１通信ルート又は第４通信ルートを構築する場合、通常通り、第１のネットワークに対応する制御信号を生成し、当該制御信号に第１の通信方式で用いられるヘッダを付加する。そして、制御部１３は、第１の通信方式で用いられるヘッダを付加した制御信号を、無線部１１を介して基地局４０へ送信する。ここで、第４通信ルートを構築する場合でも、端末１０は、ネットワーク装置７０とコネクションを一度確立するために、当該制御信号の送信処理を行っている。
【００３２】
ただし、制御部１３は、上記の第３通信ルートを構築する場合、第１のネットワークに対応する制御信号を生成し、生成した制御信号を制御部１４へ出力する。
【００３３】
制御部１４は、無線部１２を介して基地局４０との間で信号を送受信可能に構成されている。また、制御部１４は、上記の第２通信ルートを構築する場合、通常通り、第２のネットワークに対応する制御信号を生成し、当該制御信号に第２の通信方式で用いられるヘッダを付加する。そして、制御部１４は、第２の通信方式で用いられるヘッダを付加した制御信号を、無線部１２を介して基地局４０へ送信する。
【００３４】
ただし、制御部１４は、制御部１３から第１のネットワークに対応する制御信号を受け取った場合、当該制御信号に対して第２の通信方式で用いられるヘッダを付加し、当該ヘッダを付加した制御信号を、無線部１２を介して基地局４０へ送信する。この制御信号を基地局４０の制御部４４が受け取ると、制御部４４は、制御信号に付加されているヘッダを除去する。そして、制御部４４は、ヘッダを除去した制御信号が第１のネットワークに対応するものであるので、当該制御信号を制御部４３へ転送する。これにより、第２の無線区間を用いて、第１のネットワークに対応する制御信号を第１のネットワークに送信することができる。
【００３５】
［ネットワーク装置の構成例］
図５は、実施例１のネットワーク装置の主要構成の一例を示すブロック図である。図５において、ネットワーク装置７０は、制御部７１と、ネットワークＩＦ７２とを有する。
【００３６】
制御部７１は、上記の第１通信ルートから第４通信ルートを含む通信ルート群の中から、使用対象の通信ルートを選択する。そして、制御部７１は、選択した通信ルートに関する情報を、ネットワークＩＦ７２を介して基地局４０へ通知する。
【００３７】
ネットワークＩＦ７２は、基地局４０との間のインタフェースである。
【００３８】
以上のように本実施例によれば、基地局４０において、制御部４４は、所定の条件を満たした場合に、第２の無線区間を介して端末１０から受信した信号を制御部４３を介して第１のネットワークへ転送する転送処理を実行する。
【００３９】
この基地局４０の構成により、通常、接続されていない、第２のネットワークに対応する第２の無線区間と、第１のネットワークとを接続させることができるので、柔軟なトラヒック制御を実現することができる。
【００４０】
また、制御部４３及び制御部４４は、上記の転送を実行する第１のモードと、制御部４３が端末１０から第１の無線区間を介して信号を受信し第１の無線区間を介して受信した信号を第１のネットワークへ送信する第２のモードとを切り替える。
【００４１】
この基地局４０の構成により、一度構築された通信ルートにおいて、基地局４０とネットワーク（第１のネットワーク及び第２のネットワーク）との接続状態を変更せずに、無線区間のみを切り替える処理（換言すれば、装置内ハンドオーバ）を実行できる。これにより、第１のネットワーク及び第２のネットワークのさらに柔軟なトラヒック制御を実現することができる。
【００４２】
また、端末１０において、制御部１３が、第１のネットワークに対応する制御信号を生成し、制御部１４が、制御部１３で生成された制御信号に対して、第２のネットワークに対応する第２の通信方式で用いられるヘッダを付加する。そして、制御部１４が、そのヘッダを付加した制御信号を第２の通信方式（つまり、第２の無線区間）で基地局４０へ送信する。
【００４３】
この端末１０の構成により、第１のネットワークに対応する制御部１３と制御部４３との間で伝送される制御信号を、第２のネットワークに対応する制御部１４、第２の無線区間、及び制御部４４を介して伝送することができる。
【００４４】
なお、以上の説明では、各装置に２つの制御部を設けたが、これに限定されるものではない。２つの制御部を１つの制御部に纏めてもよい。
【００４５】
［実施例２］
実施例２は、実施例１をより具体的にした実施例に関する。すなわち、実施例２では、第１のネットワークを３ＧＰＰネットワークとし、第２のネットワークを無線ＬＡＮとする。すなわち、実施例２の通信システムの基本構成は、図１に示した通信システムと同様である。ただし、図１のＨｅＮＢとＷＡＰとが、実施例１の通信システム１と同様に、１つの基地局に置き換わっている。
【００４６】
［基地局の構成例］
図６は、実施例２の基地局の一例を示すブロック図である。図６において、基地局１４０は、無線部１４１，１４２と、制御部１４３，１４４と、ネットワークＩＦ１４５，１４６と、ベースバンド処理部１４７，１４８と、スイッチ１４９とを有する。無線部１４１と、制御部１４３と、ネットワークＩＦ１４５と、ベースバンド処理部１４７とは、３ＧＰＰネットワークに対応する機能部（以下では、「３ＧＰＰ機能部」と呼ぶことがある）である。また、無線部１４２と、制御部１４４と、ネットワークＩＦ１４６と、ベースバンド処理部１４８とは、無線ＬＡＮに対応する機能部（以下では、「無線ＬＡＮ機能部」と呼ぶことがある）である。無線部１４１，１４２と、制御部１４３，１４４と、ネットワークＩＦ１４５，１４６とは、実施例１の無線部４１，４２と、制御部４３，４４と、ネットワークＩＦ４５，４６とに対応する。
【００４７】
スイッチ１４９は、スイッチ１４９に接続されている機能部間の接続関係を切り替える。スイッチ１４９は、例えば、使用対象の通信ルートに応じて接続関係を切り替える。
【００４８】
例えば、上記の第１通信ルートが使用対象である場合、スイッチ１４９は、３ＧＰＰ機能部である無線部１４１と、制御部１４３と、ネットワークＩＦ１４５と、ベースバンド処理部１４７とを接続する。これにより、第１の無線区間と３ＧＰＰネットワークとの接続が実現される。
【００４９】
また、上記の第２通信ルートが使用対象である場合、スイッチ１４９は、無線ＬＡＮ機能部である無線部１４２と、制御部１４４と、ネットワークＩＦ１４６と、ベースバンド処理部１４８とを接続する。これにより、第２の無線区間と無線ＬＡＮとの接続が実現される。
【００５０】
また、上記の第３通信ルートが使用対象である場合、スイッチ１４９は、無線部１４２と、ベースバンド処理部１４８と、制御部１４４と、制御部１４３と、ネットワークＩＦ１４５とを接続する。これにより、第２の無線区間と３ＧＰＰネットワークとの接続が実現される。
【００５１】
また、上記の第４通信ルートが使用対象である場合、スイッチ１４９は、無線部１４１と、ベースバンド処理部１４７と、制御部１４３と、制御部１４４と、ネットワークＩＦ１４６とを接続する。これにより、第１の無線区間と無線ＬＡＮとの接続が実現される。
【００５２】
ネットワークＩＦ１４５は、スイッチ１４９と３ＧＰＰネットワークとに接続され、３ＧＰＰネットワークから送信された信号を受信し、スイッチ１４９へ出力する。また、ネットワークＩＦ１４５は、スイッチ１４９を介して受け取る信号を３ＧＰＰネットワークへ出力する。
【００５３】
ネットワークＩＦ１４６は、スイッチ１４９と無線ＬＡＮとに接続され、無線ＬＡＮから送信された信号を受信し、スイッチ１４９へ出力する。また、ネットワークＩＦ１４６は、スイッチ１４９を介して受け取る信号を無線ＬＡＮへ出力する。
【００５４】
制御部１４３及び制御部１４４は、基地局１４０の各機能部の制御を行う。制御部１４３は、主に、３ＧＰＰ機能部の制御を行う。また、制御部１４４は、主に、無線ＬＡＮ機能部の制御を行う。
【００５５】
また、制御部１４３及び制御部１４４は、使用対象の通信ルートに応じて、スイッチ１４９の接続状態を制御する。そして、制御部１４３及び制御部１４４は、使用対象の通信ルートが第３通信ルート又は第４通信ルートである場合、協働して転送処理を実行する。また、制御部１４３及び制御部１４４は、基地局１４０とネットワーク（３ＧＰＰネットワーク及び無線ＬＡＮ）との接続状態を変更せずに、無線区間のみを切り替える処理（つまり、装置内ハンドオーバ）を実行する。なお、制御部１４３及び制御部１４４については、後に詳しく説明する。
【００５６】
ベースバンド処理部１４７及びベースバンド処理部１４８は、ＭＡＣ（Media  Access  Control）多重分離等のベースバンド信号に対する各種処理、同期処理、ページング処理、及びトラフィック監視等の処理を行う。
【００５７】
無線部１４１は、第１の無線区間を用いて端末１１０との間で信号を送受信する。具体的には、無線部１４１は、スイッチ１４９を介して受け取った信号に対して、所定の送信無線処理（つまり、ディジタルアナログ変換、アップコンバート、増幅等）を行って、アンテナを介して端末１１０へ送信する。また、無線部１４１は、端末１１０から送信された信号を受信し、受信信号に対して、所定の受信無線処理（つまり、増幅、ダウンコンバート、アナログディジタル変換等）を行って、スイッチ１４９へ出力する。
【００５８】
無線部１４２は、第２の無線区間を用いて端末１１０との間で信号を送受信する。具体的には、無線部１４２は、スイッチ１４９を介して受け取った信号に対して、所定の送信無線処理（つまり、ディジタルアナログ変換、アップコンバート、増幅等）を行って、アンテナを介して端末１１０へ送信する。また、無線部１４２は、端末１１０から送信された信号を受信し、受信信号に対して、所定の受信無線処理（つまり、増幅、ダウンコンバート、アナログディジタル変換等）を行って、スイッチ１４９へ出力する。
【００５９】
ここで、制御部１４３及び制御部１４４の構成例について説明する。図７は、実施例２の基地局における制御部の一例を示すブロック図である。図７において、制御部１４３は、メッセージ作成／処理部１５１と、呼処理部１５２と、転送判断／処理部１５３と、リソース管理部１５４と、測定指示／結果分析部１５５と、ハンドオーバ制御部１５６と、接続管理制御部１５７と、装置監視制御部１５８とを有する。また、制御部１４４は、メッセージ作成／処理部１６１と、呼処理部１６２と、転送判断／処理部１６３と、リソース管理部１６４と、測定指示／結果分析部１６５と、ハンドオーバ制御部１６６と、接続管理制御部１６７と、装置監視制御部１６８と、認証処理部１６９とを有する。
【００６０】
メッセージ作成／処理部１５１は、呼処理部１５２から装置監視制御部１５８までの各機能部からの要求に応じて信号（メッセージを含む）を作成してスイッチ１４９に出力する。また、メッセージ作成／処理部１５１は、スイッチ１４９から出力された信号（メッセージを含む）を入力して、当該信号を対応する呼処理部１５２から装置監視制御部１５８までのいずれかの機能部に出力する。
【００６１】
呼処理部１５２は、端末１１０との間で発呼手順が行われるとき、呼処理のための各種信号（メッセージを含む）の作成を行う。
【００６２】
転送判断／処理部１５３は、スイッチ１４９から受け取る信号を転送するか否かの判断処理、及び、転送処理を実行する。
【００６３】
リソース管理部１５４は、端末１１０との通信に使用されるリソースを管理する。
【００６４】
測定指示／結果分析部１５５は、端末１１０がハンドオーバを要求する際の基準となる測定パラメータ、例えば端末１１０が通信品質を測定する際に用いるヒステリシス値（又はオフセット値）を含む信号（メッセージを含む）の作成をメッセージ作成／処理部１５１に指示する。また、測定指示／結果分析部１５５は、端末１１０から送信された信号（メッセージ含む）をメッセージ作成／処理部１５１から入力し、当該信号に含まれる品質測定値の抽出等の処理を行う。
【００６５】
ハンドオーバ制御部１５６は、ハンドオーバが実行される際に、端末１１０又は制御部１４４との間で送受信される信号（メッセージを含む）の作成をメッセージ作成／処理部１５１に指示する。
【００６６】
接続管理制御部１５７は、基地局１４０と端末１１０との間で通信接続中にどのような信号（メッセージを含む）が送受信されるか等、端末１１０との間の接続状態を管理する。
【００６７】
装置監視制御部１５８は、３ＧＰＰ機能部の各部の電源状態等を監視する。
【００６８】
制御部１４４の機能部は、基本的に、上記の制御部１４３において対応する機能部と同様の機能を有している。ただし、制御部１４４は、認証処理部１６９を有している。認証処理部１６９は、端末１１０との間の認証手順を実行する。なお、３ＧＰＰネットワーク側での認証処理は、ＭＭＥで行われる。
【００６９】
［端末の構成例］
図８は、実施例２の端末の一例を示すブロック図である。図８において、端末１１０は、無線部１１１，１１２と、ベースバンド処理制御部１１３，１１４と、アプリケーション処理制御部１１５とを有する。無線部１１１と、ベースバンド処理制御部１１３とは、３ＧＰＰネットワークに対応する機能部（以下では、「３ＧＰＰ機能部」と呼ぶことがある）である。また、無線部１１２と、ベースバンド処理制御部１１４とは、無線ＬＡＮに対応する機能部（以下では、「無線ＬＡＮ機能部」と呼ぶことがある）である。なお、無線部１１１，１１２と、ベースバンド処理制御部１１３，１１４とは、実施例１の無線部１１，１２と、制御部１３，１４とに対応する。
【００７０】
無線部１１１は、第１の無線区間を用いて基地局１４０との間で信号を送受信する。具体的には、無線部１１１は、ベースバンド処理制御部１１３から受け取った信号に対して、所定の送信無線処理（つまり、ディジタルアナログ変換、アップコンバート、増幅等）を行って、アンテナを介して基地局１４０へ送信する。また、無線部１１１は、基地局１４０から送信された信号を受信し、受信信号に対して、所定の受信無線処理（つまり、増幅、ダウンコンバート、アナログディジタル変換等）を行って、ベースバンド処理制御部１１３へ出力する。
【００７１】
無線部１１２は、第２の無線区間を用いて基地局１４０との間で信号を送受信する。具体的には、無線部１１２は、ベースバンド処理制御部１１４から受け取った信号に対して、所定の送信無線処理（つまり、ディジタルアナログ変換、アップコンバート、増幅等）を行って、アンテナを介して基地局１４０へ送信する。また、無線部１１２は、基地局１４０から送信された信号を受信し、受信信号に対して、所定の受信無線処理（つまり、増幅、ダウンコンバート、アナログディジタル変換等）を行って、ベースバンド処理制御部１１４へ出力する。
【００７２】
ベースバンド処理制御部１１３及びベースバンド処理制御部１１４は、例えば、信号（メッセージを含む）の作成処理、及びデータに対する処理を行う。ベースバンド処理制御部１１３及びベースバンド処理制御部１１４については、後に詳しく説明する。
【００７３】
アプリケーション処理制御部１１５は、ベースバンド処理制御部１１３及びベースバンド処理制御部１１４から出力された受信データを受け取り、各種のアプリケーション処理を行う。また、アプリケーション処理制御部１１５は、アプリケーションで発生した送信データをベースバンド処理制御部１１３又はベースバンド処理制御部１１４へ出力する。
【００７４】
図９は、実施例２の端末におけるベースバンド処理制御部の一例を示すブロック図である。図９において、ベースバンド処理制御部１１３は、メッセージ作成／処理部１１６と、呼処理部１１７と、認証処理部１１８と、転送判断／処理部１１９と、測定処理／結果収集部１２０と、ハンドオーバ制御部１２１と、装置監視制御部１２２と、セル探索／監視制御部１２３と、報知情報処理部１２４と、電力制御部１２５とを有する。また、ベースバンド処理制御部１１４は、メッセージ作成／処理部１２６と、呼処理部１２７と、認証処理部１２８と、転送判断／処理部１２９と、測定処理／結果収集部１３０と、ハンドオーバ制御部１３１と、装置監視制御部１３２と、セル探索／監視制御部１３３と、スキャン情報処理部１３４と、電力制御部１３５とを有する。
【００７５】
メッセージ作成／処理部１１６は、呼処理部１１７から報知情報処理部１２４までの各機能部からの要求に応じて信号（メッセージを含む）を作成して、無線部１１１へ出力する。
【００７６】
呼処理部１１７は、ＭＭＥとの間で発呼手順を実行するための信号（メッセージを含む）の作成をメッセージ作成／処理部１１６に要求する。また、呼処理部１１７は、ＭＭＥから出力された信号（メッセージを含む）をメッセージ作成／処理部１１６から入力し、発呼手順のための処理を行う。
【００７７】
認証処理部１１８は、ＭＭＥとの間で認証手順を実行するための信号（メッセージを含む）の作成をメッセージ作成／処理部１１６に要求する。また、認証処理部１１８は、ＭＭＥから出力された信号（メッセージを含む）をメッセージ作成／処理部１１６から入力し、認証手順のための処理を行う。
【００７８】
転送判断／処理部１１９は、メッセージ作成／処理部１１６から受け取る信号をベースバンド処理制御部１１４へ転送するか否かの判断処理、及び、転送処理を実行する。
【００７９】
測定処理／結果収集部１２０は、各セルに対する通信品質の測定等を行う。例えば、測定処理／結果収集部１２０は、基地局１４０及び３ＧＰＰネットワークに対応する他の基地局から送信された既知信号に対する受信電力又は希望信号対干渉信号電力比（ＳＩＲ、ＳＩＮＲ等）等を測定する。例えば、呼処理部１１７又は測定処理／結果収集部１２０は、基地局１４０を介してＭＭＥから送信された端末識別子を保持する。
【００８０】
ハンドオーバ制御部１２１は、ハンドオーバの処理の際に送信する信号（メッセージを含む）の作成をメッセージ作成／処理部１１６に要求する。また、ハンドオーバ制御部１２１は、基地局１４０から受信した信号（メッセージを含む）をメッセージ作成／処理部１１６から入力し、ハンドオーバに対する各種処理を行う。
【００８１】
装置監視制御部１２２は、３ＧＰＰ機能部の各機能部が正常に動作しているか否かを監視する。
【００８２】
セル探索／監視制御部１２３は、セルサーチ処理を行う。例えば、セル探索／監視制御部１２３は、端末１１０の電源立ち上げ時に、又は、所定の周期で、パスロスが最も小さなセルを探索する。
【００８３】
報知情報処理部１２４は、接続先の基地局１４０から受信した報知情報に対する各種処理を行う。報知情報処理部１２４は、例えば、報知情報に含まれる隣接セル情報（各セルの識別子又は各基地局１４０の識別子）を測定処理／結果収集部１２０に出力する。
【００８４】
電力制御部１２５は、３ＧＰＰ機能部の各機能部の電力を制御する。
【００８５】
ベースバンド処理制御部１１４の機能部は、基本的に、上記のベースバンド処理制御部１１３において対応する機能部と同様の機能を有している。ただし、認証処理部１２８が基地局１４０との間で認証手順を行う様に、ベースバンド処理制御部１１３の機能部とベースバンド処理制御部１１４の機能部とでは、処理を行う相手が異なる場合がある。
【００８６】
［ネットワーク装置の構成例］
図１０は、実施例２のネットワーク装置の一例を示すブロック図である。図１０に示すように、ネットワーク装置１７０は、制御部１７１と、ネットワークＩＦ１７２とを有する。ネットワーク装置１７０は、実施例１のネットワーク装置７０に対応する。また、ネットワーク装置１７０は、上記のＭＭＥに相当する。また、制御部１７１と、ネットワークＩＦ１７２とは、実施例１の制御部７１とネットワークＩＦ７２とに対応する。
【００８７】
制御部１７１は、端末１１０との間で呼手順を実行する。また、制御部１７１は、端末１１０との間で行われる、端末１１０の認証手順を実行する。さらに、制御部１７１は、上記の第１通信ルートから第４通信ルートを含む通信ルート群の中から、使用対象の通信ルートを選択する。そして、制御部１７１は、選択した通信ルートに関する情報を、ネットワークＩＦ１７２を介して基地局１４０へ通知する。
【００８８】
［通信システムの処理動作］
以上の構成を有する通信システムの処理動作について説明する。
【００８９】
＜第３通信ルートの構築手順＞
図１１は、実施例２の通信システムの一例及び第３通信ルートを示す図である。図１１に示すように、第３通信ルートでは、端末１１０、基地局１４０の制御部１４４、制御部１４３、ＢＢＮＷ、ＳＧＷ、ＰＧＷが、この順番で接続されている。
【００９０】
図１２は、第３通信ルートの構築手順を示すシーケンス図である。図１２には、第３通信ルートが構築される手順として、端末１１０が第２の無線区間でアクセスを試みる手順が示されている。
【００９１】
端末１１０のベースバンド処理制御部１１４は、無線ＬＡＮ方式で利用可能な周波数帯域で基地局１４０から送信されたビーコンをスキャンする（ステップＳ１０１）。ここで、スキャン方法は、端末１１０が基地局１４０から送信されたビーコンを自動スキャンする方法（Passive  Scan）でもよいし、端末１１０から基地局１４０へ出した要求に応じて基地局１４０から送信されたビーコンを受信する方法（Active  Scan）であってもよい。
【００９２】
次に、端末１１０のベースバンド処理制御部１１４は、受信したビーコンに基づいて、認証要求を第２の無線区間を用いて基地局１４０へ送信する（ステップＳ１０２）。
【００９３】
次に、基地局１４０の制御部１４４は、受信した認証要求に応じて、認証方法を第２の無線区間を用いて端末１１０へ通知する（ステップＳ１０３）。
【００９４】
次に、端末１１０のベースバンド処理制御部１１４が、通知された認証方法に基づいて、認証要求を第２の無線区間を用いて基地局１４０へ送信し、基地局１４０の制御部１４４が、受信した認証要求に基づいて、ＡＡＡにアクセスする（ステップＳ１０４）。
【００９５】
次に、ＡＡＡは、端末１１０に関する情報を含めた認証確認を、基地局１４０の制御部１４４を介して端末１１０へ送信する（ステップＳ１０５）。ここで、端末１１０に関する情報は、端末１１０がＬＴＥ方式でアクセス可能な端末であるか否かを示す情報（以下では、「ＬＴＥアクセス可否情報」と呼ぶことがある）を含む。これにより、基地局１４０及び端末１１０が、端末１１０がＬＴＥ方式でアクセス可能な端末であるか否かを知ることができる。
【００９６】
次に、端末１１０のベースバンド処理制御部１１４は、自身がＬＴＥアクセス可能な端末であるので、ＬＴＥアクセス要求を含めたアソシエーション確立要求を、第２の無線区間を用いて基地局１４０へ送信する（ステップＳ１０６）。ここで、ＬＴＥアクセス要求には、アクセス内容が含められてもよい。
【００９７】
次に、基地局１４０の制御部１４４は、受信したアソシエーション確立要求に含まれるＬＴＥアクセス要求を、制御部１４３へ出力する（ステップＳ１０７）。
【００９８】
次に、基地局１４０の制御部１４３は、受け取ったＬＴＥアクセス要求をネットワーク装置１７０（図では、ＭＭＥ１７０）へ送信する（ステップＳ１０８）。ここで送信されるＬＴＥアクセス要求は、端末１１０の通信ルートとして、第３通信ルートを確立してよいか否かの判断をネットワーク装置１７０に実行させるために送られる。
【００９９】
次に、ネットワーク装置１７０の制御部１７１は、ＬＴＥアクセス要求を受け取ると、端末１１０のＬＴＥアクセスを許可するか否かを判断する（ステップＳ１０９）。この判断は、例えば、ＬＴＥネットワークの状況（例えば、混雑の程度、つまりトラヒック量の程度）、又は、アクセス内容に基づいて、行われる。
【０１００】
次に、ネットワーク装置１７０の制御部１７１は、判断結果を含めた応答を基地局１４０へ送信する（ステップＳ１１０）。
【０１０１】
次に、基地局１４０の制御部１４３は、その応答を受け取ると、その応答に含まれる判断結果を制御部１４４へ出力する（ステップＳ１１１）。
【０１０２】
次に、基地局１４０の制御部１４４は、受け取った判断結果を含めたアソシエーション確立応答を第２の無線区間を用いて端末１１０へ送信する（ステップＳ１１２）。このアソシエーション確立応答に含まれる判断結果が許可を示す場合、端末１１０は、第２の無線区間を用いたＬＴＥアクセスを実行することになる。ここでは、判断結果が許可を示すものとする。
【０１０３】
次に、端末１１０のベースバンド処理制御部１１３は、ベースバンド処理制御部１１４を介して許可を示す判断結果を含むアソシエーション確立応答を受け取ると、ベースバンド処理制御部１１４及び第２の無線区間を介したＲＲＣ  Ｃｏｎｎｅｃｔｉｏｎ（Radio  Resource  Control  Connection）確立を実行する（ステップＳ１１３）。このとき、ベースバンド処理制御部１１３は、ＲＲＣ  Ｃｏｎｎｅｃｔｉｏｎ確立で用いられ、且つ、ＬＴＥ方式に対応する制御信号を生成し、ベースバンド処理制御部１１４が、当該制御信号に無線ＬＡＮ方式に対応するヘッダを付加して、基地局１４０へ送信する。これにより、制御信号は、基地局１４０の制御部１４３まで伝送される。この結果、端末１１０のベースバンド処理制御部１１３と、基地局１４０の制御部１４３とが、ＲＲＣ  Ｃｏｎｎｅｃｔｉｏｎ確立手順を実行することができる。
【０１０４】
以降の手順は、基本的にＬＴＥのＡｔｔａｃｈ手順と同じであり、端末１１０に対してＩＰ（Internet  Protocol）アドレスが割り当てられ、端末１１０は、ＰＧＷの外のＩＰネットワークとＩＰパケットの送受信が可能になる。
【０１０５】
すなわち、端末１１０は、自身に関する情報（例えば、ＩＤ等）を含めたサービスリクエストを、第２の無線区間及び基地局１４０を介してネットワーク装置１７０へ送信する（ステップＳ１１４）。
【０１０６】
次に、端末１１０とネットワーク装置１７０とは、認証手順を実行する（ステップＳ１１５）。なお、その際に、ネットワーク装置１７０は、ＨＳＳから端末１１０の加入者情報を取得する（ステップＳ１１６）。
【０１０７】
次に、ネットワーク装置１７０は、通信を暗号化するためのセキュリティ情報を基地局１４０へ送信する（ステップＳ１１７）。基地局１４０の制御部１４３は、受け取ったセキュリティ情報を制御部１４４へ出力する（ステップＳ１１８）。
【０１０８】
次に、端末１１０と基地局１４０の制御部１４４及び制御部１４３との区間で暗号化及び完全性保護が開始される（ステップＳ１１９）。さらに、端末１１０と基地局１４０の制御部１４４及び制御部１４３とネットワーク装置１７０との区間で暗号化及び完全性保護が開始される（ステップＳ１２０）。
【０１０９】
次に、ネットワーク装置１７０は、ＧＷ（ＳＧＷ及びＰＧＷ）に対して、端末１１０用のベアラ（通信ルートに対応）の構築を指示する（ステップＳ１２１）。
【０１１０】
また、ネットワーク装置１７０は、基地局１４０に対して、端末１１０用のベアラの構築を指示する（ステップＳ１２２）。そして、その指示を受け取った基地局１４０の制御部１４３は、その指示を制御部１４４へ出力する（ステップＳ１２３）。これにより、ネットワーク装置１７０と制御部１４３との間、及び、制御部１４３と制御部１４４との間に、端末１１０用のベアラが構築される。これにより、通信準備が完了する。
【０１１１】
次に、ネットワーク装置１７０は、サービスアクセプトを端末１１０へ送信する（ステップＳ１２４）。このサービスアクセプトには、ＰＧＷによって割り当てられた端末１１０用のＩＰアドレスが含められる。端末１１０は、このＩＰアドレスを用いた通信を行う。
【０１１２】
次に、基地局１４０とＧＷとの間、及び、制御部１４３と制御部１４４との間に、ＧＴＰ−Ｕトンネルが確立される（ステップＳ１２５，Ｓ１２６）。これにより、第３通信ルートによるＩＰパケットの転送が可能になる。
【０１１３】
そして、端末１１０は、ＰＧＷの外のネットワークとの間でＩＰパケットの送受信を行う（ステップＳ１２７）。
【０１１４】
図１３は、第３通信ルートの構築手順を示すシーケンス図である。ただし、図１３では、ステップＳ１０９においてＬＴＥアクセスを許可しない判断がなされた場合が示されている。
【０１１５】
端末１１０のベースバンド処理制御部１１４は、不許可を示す判断結果を含むアソシエーション確立応答を受け取ると、ブロードキャストパケットでＤＨＣＰサーバに対してＩＰアドレスを要求し、ＤＨＣＰサーバは、要求に応じてＩＰアドレスを端末１１０へ送信する（ステップＳ１３１）。
【０１１６】
そして、端末１１０は、ＧＷの外のＩＰネットワークとの間でＩＰパケットの送受信を行う（ステップＳ１３２）。
【０１１７】
ここで、以上で説明した第３通信ルートの構築手順に対応するプロトコルスタックを図１４及び図１５に示す。図１４は、ユーザ情報転送プレーン（U-plane）に対応するプロトコルスタックを示す図である。図１５は、呼制御信号プレーン（C-plane）に対応するプロトコルスタックを示す図である。
【０１１８】
＜装置内ハンドオーバ手順（バリエーション１）＞
図１６は、実施例２の通信システムの一例並びに第１通信ルート及び第３通信ルートを示す図である。図１６に示すように、第１通信ルートでは、端末１１０、基地局１４０の制御部１４３、ＢＢＮＷ、ＳＧＷ、ＰＧＷが、この順番で接続されている。
【０１１９】
図１７は、装置内ハンドオーバ手順（バリエーション１）の説明に供する図である。図１７では、特に、第１通信ルートから第３通信ルートへの装置内ハンドオーバに関する手順が示されている。すなわち、図１７では、第１通信ルートが既に確立され、U-planeが第１通信ルートを使用している。また、C-planeは、ＬＴＥのルート、つまり、端末１１０、基地局１４０の制御部１４３、ＢＢＮＷ、ＭＭＥのルートを使用している。このＬＴＥルートも含めて第１通信ルートとしてもよい。
【０１２０】
そして、端末１１０は、設定された条件が満たされた場合、メジャメントレポートを第１の無線区間を用いて基地局１４０の制御部１４３へ送信する（ステップＳ２０１）。設定された条件とは、例えば、測定により、第１の無線区間の無線環境よりも第２の無線区間の無線環境の方が良くなることである。このメジャメントレポートは、基地局１４０の制御部１４３によるハンドオーバ決定のトリガとなる。
【０１２１】
基地局１４０の制御部１４３は、受信したメジャメントレポートの内容と、ネットワークのトラヒック量とに基づいて、ハンドオーバを実施するか否かを決定（判断）する（ステップＳ２０２）。ここでは、制御部１４３がハンドオーバを実施すると決定したとする。
【０１２２】
制御部１４３は、制御部１４４に対してハンドオーバの実施を決定したことを通知する（ステップＳ２０３）。
【０１２３】
制御部１４４は、その通知に応じてハンドオーバの準備を行い、完了した時点で、その通知に対する応答を制御部１４３に対して出力する（ステップＳ２０４）。
【０１２４】
制御部１４３は、ハンドオーバ指示を第１の無線区間を介して端末１１０へ送信する（ステップＳ２０５）。
【０１２５】
端末１１０のベースバンド処理制御部１１３は、ハンドオーバ指示を受け取ると、ベースバンド処理制御部１１４へ転送する。そして、ベースバンド処理制御部１１４は、無線ＬＡＮ方式で利用可能な周波数帯域で基地局１４０から送信されたビーコンをスキャンする（ステップＳ２０６）。
【０１２６】
次に、ベースバンド処理制御部１１４が、受信したビーコンに基づいて、認証要求を第２の無線区間を用いて基地局１４０の制御部１４４へ送信する（ステップＳ２０７）。
【０１２７】
次に、基地局１４０の制御部１４４は、受信した認証要求を制御部１４３へ出力する（ステップＳ２０８）。
【０１２８】
次に、制御部１４３は、受信した認証要求に応じて、認証方法を制御部１４４へ出力する（ステップＳ２０９）。
【０１２９】
次に、制御部１４４は、受け取った認証方法を、第２の無線区間を用いて端末１１０へ通知する（ステップＳ２１０）。
【０１３０】
次に、端末１１０のベースバンド処理制御部１１４と基地局１４０の制御部１４４とが、アソシエーションを確立する（ステップＳ２１１）。
【０１３１】
次に、端末１１０のベースバンド処理制御部１１３と基地局１４０の制御部１４３とが、ベースバンド処理制御部１１４及び制御部１４４を介して、ＲＲＣ  Ｃｏｎｎｅｃｔｉｏｎを再確立する（ステップＳ２１２）。
【０１３２】
以上のようにして、第１通信ルートから第３通信ルートへの切り替えを行うことができる。
【０１３３】
図１８は、装置内ハンドオーバ手順（バリエーション１）の説明に供する図である。図１８では、特に、第３通信ルートから第１通信ルートへの装置内ハンドオーバに関する手順が示されている。すなわち、図１８では、第３通信ルートが既に確立され、U-planeが第３通信ルートを使用している。また、C-planeは、端末１１０、基地局１４０の制御部１４４、制御部１４３、ＢＢＮＷ、ＭＭＥのルートを使用している。このルートも含めて第３通信ルートとしてもよい。
【０１３４】
そして、端末１１０は、設定された条件が満たされた場合、メジャメントレポートを第２の無線区間を用いて基地局１４０の制御部１４４へ送信する（ステップＳ３０１）。
【０１３５】
次に、基地局１４０の制御部１４４は、受信したメジャメントレポートを制御部１４３へ出力する（ステップＳ３０２）。
【０１３６】
基地局１４０の制御部１４３は、受け取ったメジャメントレポートの内容と、ネットワークのトラヒック量とに基づいて、ハンドオーバを実施するか否かを決定（判断）する（ステップＳ３０３）。ここでは、制御部１４３がハンドオーバを実施すると決定したとする。
【０１３７】
制御部１４３は、制御部１４４に対してハンドオーバの実施を決定したことを通知する（ステップＳ３０４）。
【０１３８】
制御部１４４は、その通知に応じてハンドオーバの準備（つまり、第３通信ルートの切断準備）を行い、準備が完了した時点で、その通知に対する応答を制御部１４３に対して出力する（ステップＳ３０５）。
【０１３９】
制御部１４３は、ハンドオーバ指示を制御部１４４へ出力し（ステップＳ３０６）、制御部１４４は、受け取ったハンドオーバ指示を第２の無線区間を介して端末１１０へ送信する（ステップＳ３０７）。
【０１４０】
次に、端末１１０のベースバンド処理制御部１１３と基地局１４０の制御部１４３とが、ＲＲＣ  Ｃｏｎｎｅｃｔｉｏｎを再確立する（ステップＳ３０８）。
【０１４１】
以上のようにして、第３通信ルートから第１通信ルートへの切り替えを行うことができる。
【０１４２】
＜装置内ハンドオーバ手順（バリエーション２）＞
図１９は、実施例２の通信システムの一例並びに第５通信ルート及び第６通信ルートを示す図である。図１９に示すように、第５通信ルートでは、端末１１０、基地局１４０の制御部１４３、ＢＢＮＷ、インターネットが、この順番で接続されている。また、第６通信ルートは、端末１１０、基地局１４０の制御部１４４、制御部１４３、ＢＢＮＷ、インターネットが、この順番で接続されている。
【０１４３】
第５通信ルート及び第６通信ルートは、第１通信ルート及び第３通信ルートにそれぞれ分類されてもよい。すなわち、第１通信ルート及び第３通信ルートと、第５通信ルート及び第６通信ルートとは、基地局１４０のネットワーク側の通信ルートが異なるだけで、切り替え手順自体は共通する。従って、第５通信ルートから第６通信ルートへの切り替えは、図１７に示した手順を用いて行うことができる。また、第６通信ルートから第５通信ルートへの切り替えは、図１８に示した手順を用いて行うことができる。
【０１４４】
＜装置内ハンドオーバ手順（バリエーション３）＞
図２０は、実施例２の通信システムの一例並びに第２通信ルート及び第４通信ルートを示す図である。図２０に示すように、第２通信ルートでは、端末１１０、基地局１４０の制御部１４４、ＡＲ、ＧＷ、インターネットが、この順番で接続されている。また、第４通信ルートは、端末１１０、基地局１４０の制御部１４３、制御部１４４、ＡＲ、ＧＷ、インターネットが、この順番で接続されている。
【０１４５】
図２１は、装置内ハンドオーバ手順（バリエーション３）の説明に供する図である。図２１では、特に、第２通信ルートから第４通信ルートへの装置内ハンドオーバに関する手順が示されている。すなわち、図２１では、第２通信ルートが既に確立され、U-planeが第２通信ルートを使用している。なお、C-planeは、存在しない。
【０１４６】
そして、端末１１０のベースバンド処理制御部１１３は、設定された条件が満たされた場合、基地局１４０の制御部１４３との間で、ＲＲＣ  Ｃｏｎｎｅｃｔｉｏｎを確立する（ステップＳ４０１）。ここでの設定された条件とは、例えば、測定により、第２の無線区間の無線環境よりも第１の無線区間の無線環境の方が良くなることである。
【０１４７】
次に、端末１１０は、自身に関する情報（例えば、ＩＤ等）を含めたサービスリクエストを、第１の無線区間及び基地局１４０の制御部１４３を介してネットワーク装置１７０へ送信する（ステップＳ４０２）。
【０１４８】
次に、端末１１０とネットワーク装置１７０とは、認証手順を実行する（ステップＳ４０３）。なお、その際に、ネットワーク装置１７０は、ＨＳＳから端末１１０の加入者情報を取得する（ステップＳ４０４）。
【０１４９】
次に、基地局１４０の制御部１４３は、制御部１４４に対して、ＲＲＣ  Ｃｏｎｎｅｃｔｉｏｎに関する情報から特定される端末１１０が第２の無線区間を介して制御部１４４と接続しているか否かを問い合わせる（ステップＳ４０５）。ここでは、端末１１０は、第２の無線区間を介して制御部１４４と接続している。
【０１５０】
次に、基地局１４０の制御部１４３は、端末１１０について、ハンドオーバを実施するか否かを決定（判断）する（ステップＳ４０６）。ここでは、制御部１４３がハンドオーバを実施すると決定したとする。
【０１５１】
制御部１４３は、制御部１４４に対してハンドオーバの実施を決定したことを通知する（ステップＳ４０７）。
【０１５２】
制御部１４４は、その通知に応じてハンドオーバの準備を行い、完了した時点で、その通知に対する応答を制御部１４３に対して出力する（ステップＳ４０８）。
【０１５３】
次に、ネットワーク装置１７０は、通信を暗号化するためのセキュリティ情報を基地局１４０の制御部１４３へ送信する（ステップＳ４０９）。
【０１５４】
次に、端末１１０と基地局１４０の制御部１４３との区間で暗号化及び完全性保護が開始される（ステップＳ４１０）。さらに、端末１１０と基地局１４０の制御部１４３とネットワーク装置１７０との区間で暗号化及び完全性保護が開始される（ステップＳ４１１）。
【０１５５】
次に、ネットワーク装置１７０は、基地局１４０の制御部１４３に対して、端末１１０用のベアラ（通信ルートに対応）の構築を指示する（ステップＳ４１２）。そして、その指示を受け取った基地局１４０の制御部１４３は、その指示を制御部１４４へ出力する（ステップＳ４１３）。これにより、ネットワーク装置１７０と制御部１４３との間、及び、制御部１４３と制御部１４４との間に、端末１１０用のベアラが構築される。
【０１５６】
次に、ネットワーク装置１７０は、サービスアクセプトを基地局１４０の制御部１４３及び第１の無線区間を介して端末１１０へ送信する（ステップＳ４１４）。
【０１５７】
以上のようにして、第２通信ルートから第４通信ルートへの切り替えを行うことができる。なお、C-planeには、端末１１０、基地局１４０の制御部１４３、及びネットワーク装置１７０を繋ぐルートが用いられる。
【０１５８】
図２２は、装置内ハンドオーバ手順（バリエーション３）の説明に供する図である。図２２では、特に、第４通信ルートから第２通信ルートへの装置内ハンドオーバに関する手順が示されている。すなわち、図２２では、第４通信ルートが既に確立され、U-planeが第４通信ルートを使用している。また、C-planeは、端末１１０、基地局１４０の制御部１４３、ＢＢＮＷ、ＭＭＥのルートを使用している。このC-planeのルートは第１通信ルートに分類されてもよい。
【０１５９】
そして、端末１１０は、設定された条件が満たされた場合、メジャメントレポートを第１の無線区間を用いて基地局１４０の制御部１４３へ送信する（ステップＳ５０１）。設定された条件とは、例えば、測定により、第１の無線区間の無線環境よりも第２の無線区間の無線環境の方が良くなることである。このメジャメントレポートは、基地局１４０の制御部１４３によるハンドオーバ決定のトリガとなる。
【０１６０】
基地局１４０の制御部１４３は、受信したメジャメントレポートの内容と、ネットワークのトラヒック量とに基づいて、ハンドオーバを実施するか否かを決定（判断）する（ステップＳ５０２）。ここでは、制御部１４３がハンドオーバを実施すると決定したとする。
【０１６１】
制御部１４３は、制御部１４４に対してハンドオーバの実施を決定したことを通知する（ステップＳ５０３）。
【０１６２】
制御部１４４は、その通知に応じてハンドオーバの準備を行い、完了した時点で、その通知に対する応答を制御部１４３に対して出力する（ステップＳ５０４）。
【０１６３】
制御部１４３は、ハンドオーバ指示を第１の無線区間を介して端末１１０へ送信する（ステップＳ５０５）。
【０１６４】
端末１１０のベースバンド処理制御部１１３は、ハンドオーバ指示を受け取ると、ベースバンド処理制御部１１４へ転送する。そして、ベースバンド処理制御部１１４は、無線ＬＡＮ方式で利用可能な周波数帯域で基地局１４０から送信されたビーコンをスキャンする（ステップＳ５０６）。
【０１６５】
次に、ベースバンド処理制御部１１４が、受信したビーコンに基づいて、認証要求を第２の無線区間を用いて基地局１４０の制御部１４４へ送信する（ステップＳ５０７）。
【０１６６】
次に、基地局１４０の制御部１４４は、受信した認証要求を制御部１４３へ出力する（ステップＳ５０８）。
【０１６７】
次に、制御部１４３は、受信した認証要求に応じて、認証方法を制御部１４４へ出力する（ステップＳ５０９）。
【０１６８】
次に、制御部１４４は、受け取った認証方法を、第２の無線区間を用いて端末１１０へ通知する（ステップＳ５１０）。
【０１６９】
次に、端末１１０のベースバンド処理制御部１１４と基地局１４０の制御部１４４とが、アソシエーションを確立する（ステップＳ５１１）。
【０１７０】
次に、端末１１０のベースバンド処理制御部１１４が、通知された認証方法に基づいて、認証要求を第２の無線区間を用いて基地局１４０へ送信し、基地局１４０の制御部１４４が、受信した認証要求に基づいて、ＡＡＡにアクセスする（ステップＳ５１２）。
【０１７１】
次に、ＡＡＡは、認証確認を、基地局１４０の制御部１４４を介して端末１１０へ送信する（ステップＳ５１３）。
【０１７２】
以上のようにして、第４通信ルートから第２通信ルートへの切り替えを行うことができる。なお、C-planeは、存在しない。
【０１７３】
以上のように本実施例によれば、第１のネットワークを３ＧＰＰネットワークとし、第２のネットワークを無線ＬＡＮとした場合でも、実施例１と同様の効果を得ることができる。
【０１７４】
［他の実施例］
実施例１及び実施例２で図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【０１７５】
更に、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしてもよい。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしてもよい。
【０１７６】
実施例１及び実施例２の端末、基地局、及びネットワーク装置は、例えば、次のようなハードウェア構成により実現することができる。
【０１７７】
図２３は、端末のハードウェア構成例を示す図である。図２３に示すように、端末２００は、ＲＦ（Radio  Frequency）回路２０１と、プロセッサ２０２と、メモリ２０３とを有する。
【０１７８】
プロセッサ２０２の一例としては、ＣＰＵ（Central  Processing  Unit）、ＤＳＰ（Digital  Signal  Processor）、ＦＰＧＡ（Field  Programmable  Gate  Array）等が挙げられる。また、メモリ２０３の一例としては、ＳＤＲＡＭ（Synchronous  Dynamic  Random  Access  Memory）等のＲＡＭ（Random  Access  Memory）、ＲＯＭ（Read  Only  Memory）、フラッシュメモリ等が挙げられる。
【０１７９】
そして、実施例１及び実施例２の端末で行われる各種処理機能は、不揮発性記憶媒体などの各種メモリに格納されたプログラムを増幅装置が備えるプロセッサで実行することによって実現してもよい。すなわち、制御部１３，１４、ベースバンド処理制御部１１３，１１４、及びアプリケーション処理制御部１１５によって実行される各処理に対応するプログラムがメモリ２０３に記録され、各プログラムがプロセッサ２０２で実行されてもよい。また、ベースバンド処理制御部１１３，１１４及びアプリケーション処理制御部１１５によって実行される各処理は、ベースバンドＣＰＵ及びアプリケーションＣＰＵ等の複数のプロセッサによって分担されて実行されてもよい。また、制御部１３，１４、ベースバンド処理制御部１１３，１１４、及びアプリケーション処理制御部１１５によって実行される各処理は、別々のプロセッサによって分担されて実行されてもよい。また、無線部１１，１２，１１１，１１２は、ＲＦ回路２０１によって実現される。
【０１８０】
図２４は、基地局のハードウェア構成例を示す図である。図２４に示すように、基地局３００は、ＲＦ回路３０１と、プロセッサ３０２と、メモリ３０３と、ネットワークＩＦ（Inter  Face）３０４とを有する。プロセッサ３０２の一例としては、ＣＰＵ、ＤＳＰ、ＦＰＧＡ等が挙げられる。また、メモリ３０３の一例としては、ＳＤＲＡＭ等のＲＡＭ、ＲＯＭ、フラッシュメモリ等が挙げられる。
【０１８１】
そして、実施例１及び実施例２の基地局で行われる各種処理機能は、不揮発性記憶媒体などの各種メモリに格納されたプログラムを増幅装置が備えるプロセッサで実行することによって実現してもよい。すなわち、制御部４３，４４，１４３，１４４、ベースバンド処理部１４７，１４８、及びスイッチ１４９によって実行される各処理に対応するプログラムがメモリ３０３に記録され、各プログラムがプロセッサ３０２で実行されてもよい。また、ネットワークＩＦ４５，４６，１４５，１４６は、ネットワークＩＦ３０４によって実現される。また、無線部４１，４２，１４１，１４２は、ＲＦ回路３０１によって実現される。
【０１８２】
なお、ここでは、基地局３００が一体の装置であるものとして説明したが、これに限定されない。例えば、基地局３００は、無線装置と制御装置という２つの別体の装置によって構成されてもよい。この場合、例えば、ＲＦ回路３０１は無線装置に配設され、プロセッサ３０２と、メモリ３０３と、ネットワークＩＦ３０４とは制御装置に配設される。
【０１８３】
図２５は、ネットワーク装置のハードウェア構成例を示す図である。図２５に示すように、ネットワーク装置４００は、プロセッサ４０１と、ネットワークＩＦ４０２と、メモリ４０３とを有する。プロセッサ４０１の一例としては、ＣＰＵ、ＤＳＰ、ＦＰＧＡ等が挙げられる。また、メモリ４０３の一例としては、ＳＤＲＡＭ等のＲＡＭ、ＲＯＭ、フラッシュメモリ等が挙げられる。
【０１８４】
そして、実施例１及び実施例２のネットワーク装置で行われる各種処理機能は、不揮発性記憶媒体などの各種メモリに格納されたプログラムを増幅装置が備えるプロセッサで実行することによって実現してもよい。すなわち、制御部７１，１７１によって実行される各処理に対応するプログラムがメモリ４０３に記録され、各プログラムがプロセッサ４０１で実行されてもよい。また、ネットワークＩＦ７２，１７２は、ネットワークＩＦ４０２によって実現される。
【符号の説明】
【０１８５】
１  通信システム
１０，１１０  端末
１１，１２，４１，４２，１１１，１１２，１４１，１４２  無線部
１３，１４，４３，４４，７１，１４３，１４４，１７１  制御部
４０，１４０  基地局
４５，４６，７２，１４５，１４６，１７２  ネットワークＩＦ
７０，１７０  ネットワーク装置
１１３，１１４  ベースバンド処理制御部
１１５  アプリケーション処理制御部
１１６，１２６，１５１，１６１  メッセージ作成／処理部
１１７，１２７，１５２，１６２  呼処理部
１１８，１２８，１６９  認証処理部
１１９，１２９，１５３，１６３  転送判断／処理部
１２０，１３０  測定処理／結果収集部
１２１，１３１，１５６，１６６  ハンドオーバ制御部
１２２，１３２，１５８，１６８  装置監視制御部
１２３，１３３  セル探索／監視制御部
１２４  報知情報処理部
１２５，１３５  電力制御部
１３４  スキャン情報処理部
１４７，１４８  ベースバンド処理部
１４９  スイッチ
１５４，１６４  リソース管理部
１５５，１６５  測定指示／結果分析部
１５７，１６７  接続管理制御部
【図１】
2014188568.tif 000003
【図２】
2014188568.tif 000004
【図３】
2014188568.tif 000005
【図４】
2014188568.tif 000006
【図５】
2014188568.tif 000007
【図６】
2014188568.tif 000008
【図７】
2014188568.tif 000009
【図８】
2014188568.tif 000010
【図９】
2014188568.tif 000011
【図１０】
2014188568.tif 000012
【図１１】
2014188568.tif 000013
【図１２】
2014188568.tif 000014
【図１３】
2014188568.tif 000015
【図１４】
2014188568.tif 000016
【図１５】
2014188568.tif 000017
【図１６】
2014188568.tif 000018
【図１７】
2014188568.tif 000019
【図１８】
2014188568.tif 000020
【図１９】
2014188568.tif 000021
【図２０】
2014188568.tif 000022
【図２１】
2014188568.tif 000023
【図２２】
2014188568.tif 000024
【図２３】
2014188568.tif 000025
【図２４】
2014188568.tif 000026
【図２５】
2014188568.tif 000027
【国際調査報告】
2014188568.tif 000028
2014188568.tif 000029